【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
患者監視デバイスであって、
患者の心臓の破損されたＥＣＧ波形をモニタするよう動作可能なＥＣＧモニタと、
前記破損されたＥＣＧ波形を非ショック可能なリズム又は可能性としてショック可能なリズムの１つとして分類するため、前記ＥＣＧモニタに対して動作可能に接続されるコントローラとを有し、
前記コントローラが、前記破損されたＥＣＧ波形に含まれる前記収縮不全リズムの任意の存在を示す少なくとも１つの時間領域特徴及び少なくとも１つの周波数領域特徴を前記破損されたＥＣＧ波形のセグメントから抽出する特徴抽出器を含み、
前記コントローラが、前記抽出された少なくとも１つの時間領域特徴及び少なくとも１つの周波数領域特徴に基づかれる、前記破損されたＥＣＧ波形に含まれる収縮不全リズムの存在の前記コントローラによる検出に基づき、前記破損されたＥＣＧ波形を前記非ショック可能なリズムとして分類し、
前記コントローラは、前記抽出された少なくとも１つの時間領域特徴及び少なくとも１つの周波数領域特徴に基づかれる、前記破損されたＥＣＧ波形に含まれる前記収縮不全リズムの欠如の前記コントローラによる検出に基づき、前記破損されたＥＣＧ波形を前記可能性としてショック可能なリズムとして分類する、患者監視デバイス。
【請求項２】
前記コントローラが、前記破損されたＥＣＧ波形に含まれる前記収縮不全リズムの存在又は欠如に関する前記コントローラによる不確定に基づき、前記破損されたＥＣＧ波形を前記可能性としてショック可能なリズムとして分類する、請求項１に記載の患者監視デバイス。
【請求項３】
前記患者監視デバイスが、自動体外式除細動器又は高度生命維持除細動器の少なくともいずれかである、請求項１に記載の患者監視デバイス。
【請求項４】
前記患者監視デバイスが、自動体外式除細動器、高度生命維持除細動器又は患者モニタの少なくとも１つを有する、請求項１に記載の患者監視デバイス。
【請求項５】
前記コントローラが、前記破損されたＥＣＧ波形のセグメントを調整するため、前記ＥＣＧモニタに動作可能に接続される信号調整器を含む、請求項１に記載の患者監視デバイス。
【請求項６】
前記信号調整器が、前記ＥＣＧ波形から任意のアーチファクトを除去する、請求項５に記載の患者監視デバイス。
【請求項７】
前記信号調整器が、前記ＥＣＧ波形から胸部圧迫アーチファクトを除去する、請求項５に記載の患者監視デバイス。
【請求項８】
前記少なくとも１つの周波数領域特徴が、前記破損されたＥＣＧ波形の振幅スペクトル面積を含み、前記少なくとも１つの時間領域特徴は、前記破損されたＥＣＧ波形の一階差分出力を含む、請求項１に記載の患者監視デバイス。
【請求項９】
前記コントローラが、前記破損されたＥＣＧ波形の前記セグメントに含まれる前記収縮不全リズムの存在の前記少なくとも１つの時間領域特徴及び前記少なくとも１つの周波数領域特徴の少なくとも１つによる任意のインジケーションを検出するため、前記特徴抽出器に動作作可能に接続されるリズム分類器を含む、請求項１に記載の患者監視デバイス。
【請求項１０】
前記コントローラが、前記破損されたＥＣＧ波形の前記セグメントに含まれる前記収縮不全リズムの欠如の前記少なくとも１つの時間領域特徴及び前記少なくとも１つの周波数領域特徴の少なくとも１つによる任意のインジケーションを検出するため、前記特徴抽出器に動作可能に接続されるリズム分類器を含む、請求項１に記載の患者監視デバイス。
【請求項１１】
前記コントローラが、前記破損されたＥＣＧ波形の前記セグメントに含まれる前記収縮不全リズムの存在及び欠如の１つを示す前記少なくとも１つの時間領域特徴及び前記少なくとも１つの周波数領域特徴の少なくとも１つによる任意の不履行を検出するため、前記特徴抽出器に動作可能に接続されるリズム分類器を含む、請求項１に記載の患者監視デバイス。
【請求項１２】
患者監視デバイスコントローラであって、
前記破損されたＥＣＧ波形に含まれる前記収縮不全リズムの任意の存在を示す少なくとも１つの時間領域特徴及び少なくとも１つの周波数領域特徴を前記破損されたＥＣＧ波形のセグメントから抽出する特徴抽出器と、
前記抽出された少なくとも１つの時間領域特徴及び少なくとも１つの周波数領域特徴に基づき、破損されたＥＣＧ波形を非ショック可能なリズム又は可能性としてショック可能なリズムの１つとして分類するよう動作可能な収縮不全アドバイザであって、
前記収縮不全アドバイザが、前記破損されたＥＣＧ波形に含まれる収縮不全リズムの存在の前記収縮不全アドバイザによる検出に基づき、前記破損されたＥＣＧ波形を前記非ショック可能なリズムとして分類し、
前記収縮不全アドバイザは、前記破損されたＥＣＧ波形に含まれる前記収縮不全リズムの欠如の前記収縮不全アドバイザによる検出に基づき、又は前記破損されたＥＣＧ波形に含まれる前記収縮不全リズムの存在に関する前記コントローラによる不確定に基づき、前記破損されたＥＣＧ波形を前記可能性としてショック可能なリズムとして分類する、収縮不全アドバイザと、
前記収縮不全アドバイザが、前記破損されたＥＣＧ波形を可能性としてショック可能なリズムとして分類することに基づき、前記破損されたＥＣＧ波形をショック可能なリズム又は前記非ショック可能なリズムとして分類するため、前記収縮不全アドバイザに動作可能に接続されるショックアドバイザとを有する、患者監視デバイスコントローラ。
【請求項１３】
前記収縮不全アドバイザが、前記破損されたＥＣＧ波形に含まれる前記収縮不全リズムの存在又は欠如に関する前記収縮不全アドバイザによる不確定に基づき、前記破損されたＥＣＧ波形を前記可能性としてショック可能なリズムとして分類する、請求項１２に記載の患者監視デバイスコントローラ。
【請求項１４】
前記収縮不全アドバイザが、前記破損されたＥＣＧ波形のセグメントを調整するよう動作可能な信号調整器を含み、
前記特徴抽出器が、前記破損されたＥＣＧ波形に含まれる前記収縮不全リズムの任意の存在を示す前記少なくとも１つの時間領域特徴及び前記少なくとも１つの周波数領域特徴を前記破損されたＥＣＧ波形の調整されたセグメントから抽出するため、前記信号調整器に動作可能に接続される、請求項１２に記載の患者監視デバイスコントローラ。
【請求項１５】
前記収縮不全アドバイザが更に、
前記破損されたＥＣＧ波形の前記セグメントに含まれる前記収縮不全リズムの存在の少なくとも１つの信号特徴により任意のインジケーションを検出し、前記破損されたＥＣＧ波形の前記セグメントに含まれる前記収縮不全リズムの欠如の前記少なくとも１つの信号特徴による任意のインジケーションを検出し、及び前記破損されたＥＣＧ波形の前記セグメントに含まれる前記収縮不全リズムの存在及び欠如を示す前記少なくとも１つの信号特徴による任意の不履行を検出するため、前記特徴抽出器に動作可能に接続されるリズム分類器を含む、請求項１２に記載の患者監視デバイスコントローラ。
【請求項１６】
方法において、
患者の心臓の破損されたＥＣＧ波形をモニタするステップと、
前記破損されたＥＣＧ波形に含まれる前記収縮不全リズムの任意の存在を示す少なくとも１つの時間領域特徴及び少なくとも１つの周波数領域特徴を前記破損されたＥＣＧ波形のセグメントから抽出するステップと、
前記破損されたＥＣＧ波形を非ショック可能なリズム又は可能性としてショック可能なリズムの１つとして分類するステップとを有し、
前記抽出された少なくとも１つの時間領域特徴及び少なくとも１つの周波数領域特徴に基づかれる、前記破損されたＥＣＧ波形に含まれる収縮不全リズムの存在のコントローラによる検出に基づき、前記破損されたＥＣＧ波形が前記非ショック可能なリズムとして分類され、
前記抽出された少なくとも１つの時間領域特徴及び少なくとも１つの周波数領域特徴に基づかれる、前記破損されたＥＣＧ波形に含まれる前記収縮不全リズムの欠如の前記コントローラによる検出に基づき、又は、前記破損されたＥＣＧ波形に含まれる前記収縮不全リズムの存在に関する前記コントローラによる不確定に基づき、前記破損されたＥＣＧ波形が前記可能性としてショック可能なリズムとして分類される、方法。
【請求項１７】
前記破損されたＥＣＧ波形を非ショック可能なリズム又は可能性としてショック可能なリズムの１つとして分類するステップが、
前記破損されたＥＣＧ波形のセグメントを調整するステップと、
前記少なくとも１つの時間領域特徴及び前記少なくとも１つの周波数領域特徴を前記破損されたＥＣＧ波形の前記調整されたセグメントから抽出するステップとを有する、請求項１６に記載の方法。
【請求項１８】
前記破損されたＥＣＧ波形を非ショック可能なリズム又は可能性としてショック可能なリズムの１つとして分類するステップが更に、前記破損されたＥＣＧ波形の前記調整されたセグメントに含まれる前記収縮不全リズムの存在の前記少なくとも１つの時間領域特徴及び前記少なくとも１つの周波数領域特徴の少なくとも１つによる任意のインジケーションを検出するステップを有する、請求項１７に記載の方法。
【請求項１９】
前記破損されたＥＣＧ波形を非ショック可能なリズム又は可能性としてショック可能なリズムの１つとして分類するステップが更に、前記破損されたＥＣＧ波形の前記調整されたセグメントに含まれる前記収縮不全リズムの欠如の前記少なくとも１つの時間領域特徴及び前記少なくとも１つの周波数領域特徴の少なくとも１つによる任意のインジケーションを検出するステップを有する、請求項１７に記載の方法。
【請求項２０】
前記破損されたＥＣＧ波形を非ショック可能なリズム又は可能性としてショック可能なリズムの１つとして分類するステップが更に、前記破損されたＥＣＧ波形の前記調整されたセグメントに含まれる前記収縮不全リズムの存在及び欠如の１つを示す前記少なくとも１つの時間領域特徴及び前記少なくとも１つの周波数領域特徴の少なくとも１つによる任意の不履行を検出するステップを有する、請求項１７に記載の方法。